【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
光学システムであって、
画像投影システムであって、前記画像投影システムは、光のコヒーレントビームを可視スペクトル範囲内の複数の波長において放出するように構成される、画像投影システムと、
第１の縁と、第２の縁と、前記第１の縁および前記第２の縁の間に配置される一対の反射表面とを備える導波管であって、前記一対の反射表面は、間隙高さｄを有する間隙によって分離され、前記導波管は、屈折率ｎを有する材料を含み、前記一対の反射表面は、反射率ｒを有し、前記画像投影システムから放出されるビームは、入力角度θにおいて前記導波管中に結合される、導波管と、
前記複数の波長からの波長、前記間隙高さｄ、前記屈折率ｎ、および前記反射率ｒから成る群から選択される少なくとも１つのパラメータを変動させるように構成される制御システムであって、前記少なくとも１つのパラメータの変動は、方程式２ｎｄｓｉｎθ＝ｍλが前記入力角度θの値に関して満たされるように前記入力角度θの変動と相関され、ｍは、整数であり、λは、前記ビームの波長である、制御システムと
を備える、光学システム。
【請求項２】
前記画像投影システムは、ある走査レートにおいて放出されるビームの前記入力角度θを変動させるように構成される、請求項１に記載の光学システム。
【請求項３】
前記制御システムは、前記走査レートと略等しい変調レートにおいて前記少なくとも１つのパラメータを変調させるように構成される、請求項２に記載の光学システム。
【請求項４】
前記少なくとも１つのパラメータは、前記複数の波長からの波長である、請求項１に記載の光学システム。
【請求項５】
前記少なくとも１つのパラメータは、前記間隙高さｄである、請求項１に記載の光学システム。
【請求項６】
前記少なくとも１つのパラメータは、前記屈折率ｎである、請求項１に記載の光学システム。
【請求項７】
前記少なくとも１つのパラメータは、前記反射率ｒである、請求項１に記載の光学システム。
【請求項８】
前記画像投影システムは、ファイバを備える、請求項１に記載の光学システム。
【請求項９】
前記放出されるビームは、コリメートされる、請求項１に記載の光学システム。
【請求項１０】
前記複数の波長は、赤色、緑色、および青色スペクトル領域内の波長を含む、請求項１に記載の光学システム。
【請求項１１】
前記導波管は、音響光学材料を含む、請求項１に記載の光学システム。
【請求項１２】
前記導波管は、圧電材料を含む、請求項１に記載の光学システム。
【請求項１３】
前記導波管は、電気光学材料を含む、請求項１に記載の光学システム。
【請求項１４】
前記導波管は、微小電気機械システム（ＭＥＭＳ）を備える、請求項１に記載の光学システム。
【請求項１５】
前記導波管は、前記放出されるビームを拡張および増大させる射出瞳エクスパンダとして構成される、請求項１に記載の光学システム。
【請求項１６】
前記導波管は、前記ビームを１ｍｍを上回るスポットサイズまで拡張させるように構成される、請求項１に記載の光学システム。
【請求項１７】
拡張現実（ＡＲ）デバイス内に統合される、請求項１に記載の光学システム。
【請求項１８】
仮想現実（ＶＲ）デバイス内に統合される、請求項１に記載の光学システム。
【請求項１９】
接眼ディスプレイデバイス内に統合される、請求項１に記載の光学システム。
【請求項２０】
フレーム、１つ以上のレンズ、または耳掛け部のうちの少なくとも１つを備えるアイウェア内に統合される、請求項１に記載の光学システム。
【請求項２１】
光学システムであって、
画像投影システムであって、前記画像投影システムは、光のコヒーレントビームを可視スペクトル範囲内の複数の波長において放出するように構成される、画像投影システムと、
複数のスタックされた導波管であって、各導波管は、第１の縁と、第２の縁と、前記第１の縁および前記第２の縁の間に配置される一対の反射表面とを備え、前記一対の反射表面は、間隙高さｄを有する間隙によって分離され、前記導波管は、屈折率ｎを有する材料を含み、前記一対の反射表面は、反射率ｒを有する、導波管と、
前記複数の波長からの波長、前記間隙高さｄ、前記屈折率ｎ、および前記反射率ｒから成る群から選択される少なくとも１つのパラメータを変動させるように構成される制御システムと
を備え、
前記画像投影システムから放出されるビームは、入力角度θにおいて前記導波管の中に結合され、前記少なくとも１つのパラメータの変動は、方程式２ｎｄｓｉｎθ＝ｍλが前記入力角度θの値に関して満たされるように前記入力角度θの変動と相関され、ｍは、整数であり、λは、前記ビームの波長である、光学システム。
【請求項２２】
各導波管は、関連付けられた深度平面を有し、各導波管から放出されるビームは、導波管の関連付けられた深度平面から生じるように現れる、請求項２１に記載の光学システム。
【請求項２３】
前記複数のスタックされた導波管からの異なる導波管は、異なる関連付けられた深度平面を有する、請求項２１に記載の光学システム。
【請求項２４】
拡張現実（ＡＲ）デバイス内に統合される、請求項２１に記載の光学システム。
【請求項２５】
仮想現実（ＶＲ）デバイス内に統合される、請求項２１に記載の光学システム。
【請求項２６】
接眼ディスプレイデバイス内に統合される、請求項２１に記載の光学システム。
【請求項２７】
フレーム、１つ以上のレンズまたは耳掛け部のうちの少なくとも１つを備えるアイウェア内に統合される、請求項２１に記載の光学システム。
【手続補正２】
【補正対象書類名】明細書
【補正対象項目名】０００８
【補正方法】変更
【補正の内容】
【０００８】
本明細書に説明される主題の１つ以上の実装の詳細が、付随の図面および以下の説明に記載される。他の特徴、側面、および利点は、説明、図面、および請求項から明白となるであろう。本概要または以下の発明を実施するための形態のいずれも、本発明の主題の範囲を定義または限定することを主張するものではない。
本発明は、例えば、以下を提供する。
（項目１）
光学システムであって、
画像投影システムであって、前記画像投影システムは、光のコヒーレントビームを可視スペクトル範囲内の複数の波長において放出するように構成される、画像投影システムと、
第１の縁と、第２の縁と、前記第１の縁および第２の縁の間に配置される一対の反射表面とを備える導波管であって、前記一対の反射表面は、間隙高さｄを有する間隙によって分離され、前記導波管は、屈折率ｎを有する材料を含み、前記一対の反射表面は、反射率ｒを有し、前記画像投影システムから放出されるビームは、入力角度θにおいて前記導波管中に結合される、導波管と、
前記複数の波長からの波長、前記間隙高さｄ、前記屈折率ｎ、および前記反射率ｒから成る群から選択される少なくとも１つのパラメータを変動させるように構成される制御システムであって、前記少なくとも１つのパラメータの変動は、前記入力角度θの変動と相関される、制御システムと
を備える、光学システム。
（項目２）
前記画像投影システムは、ある走査レートにおいて放出されるビームの入力角度θを変動させるように構成される、項目１に記載の光学システム。
（項目３）
前記制御システムは、前記走査レートと略等しい変調レートにおいて前記少なくとも１つのパラメータを変調させるように構成される、項目１および２のいずれかに記載の光学システム。
（項目４）
前記制御システムは、前記少なくとも１つのパラメータを変調させるように構成され、前記変調レートは、方程式２ｎｄｓｉｎθ＝ｍλが前記入力角度θの全ての値に関して満たされるように構成され、ｍは、整数であって、λは、前記ビームの波長である、項目１−３のいずれかに記載の光学システム。
（項目５）
前記少なくとも１つのパラメータは、前記複数の波長からの波長である、項目１−４のいずれかに記載の光学システム。
（項目６）
前記少なくとも１つのパラメータは、前記間隙高さｄである、項目１−５のいずれかに記載の光学システム。
（項目７）
前記少なくとも１つのパラメータは、前記屈折率ｎである、項目１−６のいずれかに記載の光学システム。
（項目８）
前記少なくとも１つのパラメータは、前記反射率ｒである、項目１−７のいずれかに記載の光学システム。
（項目９）
前記画像投影システムは、ファイバを備える、項目１−８のいずれかに記載の光学システム。
（項目１０）
前記放出されるビームは、コリメートされる、項目１−９のいずれかに記載の光学システム。
（項目１１）
前記複数の波長は、赤色、緑色、および青色スペクトル領域内の波長を含む、項目１−１０のいずれかに記載の光学システム。
（項目１２）
前記導波管は、音響光学材料を含む、項目１−１１のいずれかに記載の光学システム。
（項目１３）
前記導波管は、圧電材料を含む、項目１−１２のいずれかに記載の光学システム。
（項目１４）
前記導波管は、電気光学材料を含む、項目１−１３のいずれかに記載の光学システム。
（項目１５）
前記導波管は、微小電気機械システム（ＭＥＭＳ）を備える、項目１−１４のいずれかに記載の光学システム。
（項目１６）
前記導波管は、前記放出されるビームを拡張および増大させる射出瞳エクスパンダとして構成される、項目１−１５のいずれかに記載の光学システム。
（項目１７）
前記導波管は、前記ビームを１ｍｍを上回るスポットサイズまで拡張させるように構成される、項目１−１６のいずれかに記載の光学システム。
（項目１８）
拡張現実（ＡＲ）デバイス内に統合される、項目１−１７のいずれかに記載の光学システム。
（項目１９）
仮想現実（ＶＲ）デバイス内に統合される、項目１−１８のいずれかに記載の光学システム。
（項目２０）
接眼ディスプレイデバイス内に統合される、項目１−１９のいずれかに記載の光学システム。
（項目２１）
フレーム、１つ以上のレンズ、または耳掛け部のうちの少なくとも１つを備える、アイウェア内に統合される、項目１−２０のいずれかに記載の光学システム。
（項目２２）
光学システムであって、
画像投影システムであって、前記画像投影システムは、光のコヒーレントビームを可視スペクトル範囲内の複数の波長において放出するように構成される、画像投影システムと、
複数のスタックされた導波管であって、各導波管は、
第１の縁と、第２の縁と、前記第１の縁および第２の縁の間に配置される一対の反射表面とを備え、前記一対の反射表面は、間隙高さｄを有する間隙によって分離され、前記導波管は、屈折率ｎを有する材料を含み、前記一対の反射表面は、反射率ｒを有する、導波管と、
前記複数の波長からの波長、前記間隙高さｄ、前記屈折率ｎ、および前記反射率ｒから成る群から選択される、少なくとも１つのパラメータを変動させるように構成される、制御システムと
を備え、前記画像投影システムから放出されるビームは、入力角度θにおいて前記導波管の中に結合され、前記少なくとも１つのパラメータの変動は、前記入力角度θの変動と相関される、光学システム。
（項目２３）
各導波管は、関連付けられた深度平面を有し、各導波管から放出されるビームは、導波管の関連付けられた深度平面から生じるように現れる、項目２３に記載の光学システム。
（項目２４）
前記複数のスタックされた導波管からの異なる導波管は、異なる関連付けられた深度平面を有する、項目２２−２３のいずれかに記載の光学システム。
（項目２５）
拡張現実（ＡＲ）デバイス内に統合される、項目２２−２４のいずれかに記載の光学システム。
（項目２６）
仮想現実（ＶＲ）デバイス内に統合される、項目２２−２５のいずれかに記載の光学システム。
（項目２７）
接眼ディスプレイデバイス内に統合される、項目２２−２６のいずれかに記載の光学システム。
（項目２８）
フレーム、１つ以上のレンズまたは耳掛け部のうちの少なくとも１つを備える、アイウェア内に統合される、項目２２−２７のいずれかに記載の光学システム。